(57)【要約】      （修正有）【課題】フックの太さ、形状に制限されずにタンザク綴じカレンダーを吊り下げることができる吊り具を提供する。【解決手段】タンザク綴じカレンダー用の吊り具１は、いずれも弾性を有する棒状部材で形成されタンザク綴じカレンダーのカレンダー紙間に挿入される基部１１および挿入部１２と、壁掛け用の紐の一端を連結するための紐連結部１３とを有する。基部は、全体として一方向に伸びており、挿入部は、基部の一端に連続して基部から徐々に離れながら伸びる延伸部１４と、延伸部の伸びた端に連続し基部との距離を徐々に狭めながら基部の他端側に向けて伸びた係止部１５とを備え、紐連結部は、前記基部の他端に一体となっている。【選択図】図１
0003163890.tif 000002
【実用新案登録請求の範囲】
【請求項１】
いずれも弾性を有する棒状部材で形成されタンザク綴じカレンダーのカレンダー紙間に挿入される基部および挿入部と、
壁掛け用の紐の一端を連結するための紐連結部と、を有し、
前記基部は、全体として一方向に伸びており、
前記挿入部は、
前記基部の一端に連続して前記基部または前記基部の延長線上から徐々に離れながら伸びる延伸部と、
前記延伸部の伸びた端に連続し前記基部との距離を徐々に狭めながら前記基部の他端側に向けて伸びた係止部と、を備え、
前記紐連結部は、前記基部の他端に一体となった
ことを特徴とするタンザク綴じカレンダー用の吊り具。
【考案の詳細な説明】
【技術分野】
【０００１】
本考案は、壁に設けられたフックに掛けて使用されるタンザク綴じカレンダーに取り付けることができる吊り具に関する。
【背景技術】
【０００２】
１年間の月日および曜日が１ヶ月単位または２ヶ月単位で記載されたカレンダーは、近年のエコブームにより、そのまま紙製品リサイクルとすることができるタンザク綴じカレンダー（ホットメルトカレンダー、のり綴じカレンダーともいう）の需要が増大している。
タンザク綴じカレンダーは、月ごと（または２月ごと）に印刷された紙を重ね、上部に複数の丸穴をあけてホットメルト（樹脂で作られた糊）を流し入れ、上端を厚紙であるタンザクで覆うことにより製作される。
【０００３】
タンザク綴じカレンダーは、通常、タンザクで綴じられた部分の中央に吊り穴が開けられており、この穴により部屋の壁に吊り下げられる。
カレンダーは、美しい風景等の写真、有名な絵画等の複写が印刷され、壁に掛けるとき、これにふさわしい、デザインされたフック等を使用したいという要望がある。しかし、カレンダーに設けられた吊り穴はその径が小さいために、カレンダーは、釘、鋲等の細く単純な形状のものを使用して壁に掛けられていた。
【０００４】
デザインされたフック等を使用したいという要望に応えることができる技術として、カレンダーを綴じる綴じ具の両端に取り付けて使用される補助吊り具が提案されている（特許文献１）。
【先行技術文献】
【特許文献】
【０００５】
【特許文献１】特開平１０−１６４３９号公報
【考案の概要】
【考案が解決しようとする課題】
【０００６】
特許文献１に開示された技術は、１対の特殊な形状の金属の薄板にそれぞれ紐穴を設けた補助吊り具本体を使用するものであるが、補助吊り具本体が取り付けられるカレンダーは金具綴じカレンダーであり（特許文献１の図２）、この技術をタンザク綴じカレンダーに適用することはできない。
本考案は、上述の問題に鑑みてなされたもので、フックの太さ、形状に制限されずにタンザク綴じカレンダーを吊り下げることができる吊り具を提供することを目的とする。
【課題を解決するための手段】
【０００７】
本考案に係るタンザク綴じカレンダー用の吊り具は、いずれも弾性を有する棒状部材で形成されタンザク綴じカレンダーのカレンダー紙間に挿入される基部および挿入部と、壁掛け用の紐の一端を連結するための紐連結部と、を有し、前記基部は、全体として一方向に伸びており、前記挿入部は、前記基部の一端に連続して前記基部または前記基部の延長線上から徐々に離れながら伸びる延伸部と、前記延伸部の伸びた端に連続し前記基部との距離を徐々に狭めながら前記基部の他端側に向けて伸びた係止部と、を備え、前記紐連結部は、前記基部の他端に一体となったものである。
【考案の効果】
【０００８】
本考案によると、フックの太さ、形状に制限されずにタンザク綴じカレンダーを吊り下げることができる吊り具を提供することができる。
【図面の簡単な説明】
【０００９】
【図１】図１は吊り具の正面図である。
【図２】図２はタンザク綴じカレンダーに吊り具が使用された様子を示す図である。
【図３】図３は図２におけるＡ−Ａ断面図である。
【図４】図４は他の吊り具の概略図である。
【図５】図５は他の吊り具の正面図である。
【図６】図６はタンザク綴じカレンダーに他の吊り具が使用される様子を示す図である。
【考案を実施するための形態】
【００１０】
図１は吊り具１の正面図、図２はタンザク綴じカレンダーＣＡに吊り具１が使用された様子を示す図、図３は図２におけるＡ−Ａ断面図である。
吊り具１は、断面が円形の丸棒が曲げられて製作され、基部１１、挿入部１２および紐連結部１３からなる。
基部１１は、一方向に真っ直ぐに伸びてその両端がそれぞれ挿入部１２および紐連結部１３に連続する。挿入部１２は、基部１１との連続部分から基部１１側に大きな曲率（小さな曲率半径）で湾曲して折返し、湾曲の曲率が小さくなって基部１１から一定の距離だけ離れた位置に至る。挿入部１２におけるこの位置までの部分を延伸部１４という。
【００１１】
挿入部１２は、この位置からさらに紐連結部１３側に戻りながら基部１１に徐々に近づき、基部１１の長さの約３分の２まで戻った後に、反対側（基部１１と挿入部１２とが連続する側）に折り返す。延伸部１４に連続する部分からこの折り返す直前までの部分を係止部１５という。
この後、挿入部１２は、徐々に基部１１に近づきながら、基部１１の長さの略４分の１伸び、続いて基部１１と並行にさらに基部１１の長さの略４分の１伸びる。挿入部１２における基部１１と並行に伸びる部分を端部１６という。
【００１２】
挿入部１２は、基部１１と併せるとアルファベット大文字の「Ｇ」を横に延ばした形状である。
紐連結部１３は、基部１１との連続部分から挿入部１２が位置する同じ側（図１における下側）に折れ曲がり、さらに挿入部１２側に湾曲しながら基部１１に向けて戻って、輪（ループ）を形成する。紐連結部１３は、基部１１近傍でそれまでとは逆側に湾曲し、基部１１から急激に離れる。紐連結部１３は、基部１１と併せるとアルファベット大文字の「Ｒ」を右に略９０度傾けた形状である。紐連結部１３における基部１１近傍でそれまでとは逆側に湾曲する部分と基部１１とは接するか、間隔が僅かである。
【００１３】
吊り具１は、軟鋼またはばね鋼の丸棒が加工されて製作される。
吊り具１が使用されるタンザク綴じカレンダーＣＡは、月順に揃えられ上端が糊づけされたカレンダー本体２１およびタンザク２２からなる。カレンダー本体は、上端の近傍に所定の大きさの丸穴２３が、幅方向（図２における横方向）に一定間隔で複数打ち抜かれている。タンザク綴じカレンダーＣＡは、この丸穴２３，…，２３にホットメルトが注入され、カレンダー本体２１における丸穴２３，…，２３が設けられた部分の表裏両面を、短冊状の厚紙であるタンザク２２で挟んで、プレスによりこれらを一体化する。
【００１４】
タンザク綴じカレンダーＣＡにおける丸穴２３の大きさおよび隣り合う２つの間隔は、タンザク綴じカレンダーＣＡの大きさに依らず一定である。例えば、丸穴２３の径は５ｍｍであり、その間隔は８ｍｍである。また、最も端にある丸穴２３とカレンダー本体２１の端からの距離は７ｍｍである。
図２および図３を参照して、吊り具１は次のようにしてタンザク綴じカレンダーＣＡに使用される。
【００１５】
初めに、２つの吊り具１，１のそれぞれの紐連結部１３に、適度な長さの紐ＳＣの互いに異なる端が結びつけられる。
吊り具１は、カレンダー本体２１と丸穴２３との間における、綴じられた各月の（または２ヶ月の）カレンダー紙のいずれか２枚の間に、基部１１をタンザク綴じカレンダーＣＡの上側に位置させて、挿入部１２側から挿入される。
【００１６】
タンザク綴じカレンダーＣＡでは、丸穴２３に注入されたホットメルトは、プレス工程においてカレンダー紙の間に染み出し、丸穴２３の周りで若干の幅を有してカレンダー紙を接合する。吊り具１は、カレンダー紙間に挿入されると、丸穴２３の周りで固化したホットメルトに進入を阻まれる。しかし、挿入部１２は、内方に向かうに従い徐々に基部１１との間隔が拡がる形状の延伸部１４を有する。そのため、延伸部１４は吊り具１材料の弾性により基部１１側に曲がって挿入部１２全体の（基部１１との）幅が狭まり（図１の矢印参照）、吊り具１は、紐連結部１３の一部を残してカレンダー紙間の奥まで挿入される。
【００１７】
吊り具１は、カレンダー紙間の奥まで挿入されると、延伸部１４と係止部１５との境界である最も基部１１との間隔が大きな部分が、最も外側の丸穴２３よりもタンザク綴じカレンダーＣＡの幅方向内方に達し、挿入部１２全体の（基部１１との）幅が元の大きさに戻る。そうすると、係止部１５は丸穴２３周りの固化したホットメルトにより、抜き出し方向の移動が妨げられ、吊り具１は容易にはカレンダー紙間から抜け出ることができず、安定してタンザク綴じカレンダーＣＡに保持される。
【００１８】
吊り具１においては、基部１１と端部１６とに１〜２ｍｍの間隙が設けられ、この間隙が、吊り具１をカレンダー紙間に挿入する際に挿入部１２全体の幅を狭める働きをする。
また、カレンダー紙間に挿入された吊り具１の脱落は、延伸部１４との連続部分から紐連結部１３に近づくに伴い徐々に基部１１に近づく係止部１５により防止される。
図４は他の吊り具１Ｂの概略図である。図４において（ａ）は正面図、（ｂ）はタンザク綴じカレンダーＣＡに吊り具１Ｂを取り付ける様子を示す図である。
【００１９】
吊り具１Ｂは、吊り具１と同じく、断面が円形の丸棒が曲げられて製作され、基部１１Ｂ、挿入部１２Ｂおよび紐連結部１３からなる。
基部１１Ｂは、真っ直ぐに伸びてその両端がそれぞれ挿入部１２Ｂおよび紐連結部１３に連続する。基部１１Ｂは、吊り具１における基部１１に比べてその長さが短い。ここで、紐連結部１３は基部１１Ｂの一端に連続し、その形態は吊り具１におけるものと同じである。
【００２０】
挿入部１２Ｂは、基部１１Ｂの他端に連続し、基部１１Ｂと鈍角を形成して紐連結部１３が位置する同じ側に傾斜して真っ直ぐに伸びる。挿入部１２Ｂは、伸びた先で基部１１Ｂと同一平面に収まるように基部１１Ｂ側に大きな曲率（小さな曲率半径）で湾曲して折返す。この折返し部分は鋭角をなし、押し返し後の挿入部１２Ｂは、基部１１Ｂの延長線または基部１１Ｂに徐々に近づきながら紐連結部１３に向けて伸びる。
【００２１】
挿入部１２Ｂは、紐連結部１３の手前で基部１１Ｂ側に折返し、これまでとは反対方向に伸びながら基部１１Ｂに徐々に近づく。挿入部１２Ｂにおける鋭角をなす折返し部分を起点として基部１１Ｂに徐々に近づきながら紐連結部１３に向けて伸びる部分を係止部１５Ｂという。
挿入部１２Ｂは、アルファベット大文字の「Ｇ」を横に延ばした形状であり、吊り具１における「Ｇ」よりさらにいびつである。
【００２２】
図４（ｂ）を参照して、吊り具１Ｂは、挿入部１２Ｂにおける基部１１Ｂに連続する真っ直ぐな部分（以下「延伸部」という）１４Ｂをタンザク綴じカレンダーＣＡの上端と並行にしてカレンダー紙間に差し入れられる。吊り具１Ｂは、挿入部１２Ｂ全体および基部１１Ｂの大部分が差し入れられると、基部１１Ｂがタンザク綴じカレンダーＣＡの上端と並行になるように傾斜（回転）され、紐連結部１３の一部を残してカレンダー紙間の奥まで挿入される。
【００２３】
吊り具１Ｂは、係止部１５Ｂが、最も外側の丸穴２３よりもタンザク綴じカレンダーＣＡの幅方向内方に達する。吊り具１１Ｂは、タンザク綴じカレンダーＣＡの紐ＳＣがフック等に掛けられると、紐連結部１３が上方に引っ張られ、基部１１Ｂがタンザク２２により、また係止部１５Ｂが丸穴２３周りのホットメルトにより回転が妨げられる。この状態で、係止部１５Ｂは丸穴２３周りの固化したホットメルトにより、抜き出し方向の移動が妨げられ、吊り具１Ｂは容易にはカレンダー紙間から抜け出ることができず、安定してタンザク綴じカレンダーＣＡに保持される。
【００２４】
ところで、タンザク綴じカレンダーＣＡは、タンザクの幅（図４（ｂ）におけるＷ）が異なる数種、例えば２５ｍｍ，３０ｍｍ，４０ｍｍがある。そして、これらは、丸穴２３の位置がタンザク２２の下端（図４（ｂ）における符合２５）から略同じ距離である。
次に、タンザク２２の幅が大きく、タンザク綴じカレンダーＣＡの上端と丸穴２３との距離が大きい場合に使用される吊り具１Ｃ，１Ｄについて説明する。
【００２５】
図５は他の吊り具１Ｃ，１Ｅの正面図、図６はタンザク綴じカレンダーＣＡに他の吊り具１Ｃ，１Ｅが使用された様子を示す図である。
吊り具１Ｃ（図５（ａ）参照）は、基部１１、挿入部１２Ｃおよび紐連結部１３からなる。
基部１１は、真っ直ぐに伸びてその両端がそれぞれ挿入部１２Ｃおよび紐連結部１３に連続する。基部１１は、吊り具１における基部１１と同様に吊り具１の全長に近い長さである。紐連結部１３は基部１１の一端に連続し、その形態は吊り具１におけるものと同じである。
【００２６】
挿入部１２Ｃは、基部１１の他端に連続し、基部１１と略直角を形成して紐連結部１３が位置する同じ側に真っ直ぐに伸びる。挿入部１２Ｃは、伸びた先で基部１１と同一平面に収まるように基部１１側に大きな曲率（小さな曲率半径）で湾曲して折返す。押し返し後の挿入部１２Ｃは、基部１１に徐々に近づきながら紐連結部１３に向けて伸びる。
挿入部１２Ｃは、紐連結部１３の手前で基部１１側に折返し、これまでとは反対方向に伸びながら基部１１に徐々に近づく。挿入部１２Ｃにおける鋭角をなす折返し部分を起点として基部１１に徐々に近づきながら紐連結部１３に向けて伸びる部分を係止部１５Ｃという。
【００２７】
図５（ａ）において２点鎖線で示した挿入部１２Ｄは、吊り具１Ｃにおける基部１１と挿入部１２Ｃとがなす曲げ角度αを、図４（ａ）に示される吊り具１Ｂと同様に鈍角とした例である。曲げ角度αが鈍角となるように形成された挿入部１２Ｄを有する吊り具は、図４（ａ）の吊り具１Ｂに比べると曲げ角度αが小さい。挿入部１２Ｄを有する吊り具は、上端と丸穴２３との距離が大きなタンザク綴じカレンダーＣＡに使用可能なように、吊り具１Ｂの曲げ角度αをさらに小さくして係止部１５Ｂの位置を基部１１Ｂから遠ざけたものである。挿入部１２Ｄを有する吊り具１は、曲げ角度αが異なる点を除き、吊り具１Ｂ，１Ｃと同じである。
【００２８】
吊り具１Ｅ（図５（ｂ）参照）は、基部１１と挿入部１２Ｅとの連続部分の曲げ角度αが、吊り具１Ｃにおける直角よりも小さな鋭角となっている。吊り具１Ｅにおけるその他の構成は吊り具１Ｂ，１Ｃと同じであり、図５（ｂ）において吊り具１Ｃと同じ符合を付す。
図６はタンザク綴じカレンダーＣＡに吊り具１Ｃ，１Ｅが使用される様子を示す図である。図６における左側は吊り具１Ｃ、右側は吊り具１Ｅである。
【００２９】
吊り具１Ｃ，１Ｅは、いずれも同じようにしてタンザク綴じカレンダーＣＡに取り付けられ、これらの取り付けは、吊り具１Ｂと略同じである。
吊り具１Ｃを例に、タンザク綴じカレンダーＣＡへの取り付け方を以下に説明する。
吊り具１Ｃは、延伸部１４Ｃをタンザク綴じカレンダーＣＡの上端と並行にしてカレンダー紙間に差し入れられる。吊り具１Ｃは、挿入部１２Ｃ全体および基部１１の大部分が差し入れられると、基部１１がタンザク綴じカレンダーＣＡの上端と並行になるように略９０度回転され、紐連結部１３の一部を残してカレンダー紙間の奥まで挿入される。
【００３０】
吊り具１Ｃは、係止部１５Ｃが、最も外側の丸穴２３よりもタンザク綴じカレンダーＣＡの幅方向内方に達する。吊り具１Ｃは、紐ＳＣがフック等に掛けられると、基部１１がタンザク２２に、および係止部１５Ｃが丸穴２３周りのホットメルトにより回転が妨げられ、容易にはカレンダー紙間から抜け出ることができず、安定してタンザク綴じカレンダーＣＡに保持される。
【００３１】
曲げ角度αが鋭角となった吊り具１Ｅは、基部１をタンザク綴じカレンダーＣＡの上端に対して９０度の状態でカレンダー紙間に差し入れられる。また、吊り具１Ｅの取り付けは、初めは吊り具１Ｃと同様に、挿入部１２Ｄにおける基部１１に連続する真っ直ぐな部分（延伸部）１４Ｅをタンザク綴じカレンダーＣＡの上端と並行にしてカレンダー紙間に差し入れ、後に徐々に回転させながら奥に差し入れてもよい。
【００３２】
吊り具１，１Ｂ，１Ｃ，１Ｅは、係止部１５，１５Ｂ，１５Ｃと基部１１，１１Ｂとの距離が、挿入部１２，１２Ｂ〜１２Ｅに連続する側から紐連結部１３側に向けて徐々に小さくなる点で共通する。
上述の実施形態において、基部１１，１１Ｂを、真っ直ぐではなく、緩やかな波状であって全体として一方向に直線状に伸びたものとしてもよい。紐連結部１３は、基部１１，１１Ｂの端に連続し紐ＳＣと連結可能であれば、上記形態に限られない。
【００３３】
その他、吊り具１，１Ｂ，１Ｃ，１Ｅ、および吊り具１，１Ｂ，１Ｃ，１Ｅの各構成または全体の構造、形状、寸法、個数、材質などは、本発明の趣旨に沿って適宜変更することができる。例えば適度な弾性を有すれば、吊り具１，１Ｂ，１Ｃ，１Ｅは丸棒以外の材料で製作してもよい。また、吊り具１，１Ｂ，１Ｃ，１Ｅは、挿入部１２，１２Ｂ〜１２Ｅに他の弾性変形可能な材料を用い、その他の部分に弾性変形し難い材料を用い、全体として複数の材料で形成することができる。紐連結部１３は、棒状材料でなく、板状材料で形成してもよい。
【産業上の利用可能性】
【００３４】
本考案は、壁に設けられたフックに掛けて使用されるタンザク綴じカレンダーに取り付けることができる吊り具に利用することができる。
【符号の説明】
【００３５】
１，１Ｂ，１Ｃ，１Ｅ  吊り具
１１，１１Ｂ  基部
１２，１２Ｂ〜１２Ｅ  挿入部
１３  紐連結部
１４，１４Ｂ〜１４Ｅ  延伸部
１５，１５Ｂ，１５Ｃ  係止部
ＣＡ  タンザク綴じカレンダー
ＳＣ  紐（壁掛け用の紐）
【図１】
0003163890.tif 000003
【図２】
0003163890.tif 000004
【図３】
0003163890.tif 000005
【図４】
0003163890.tif 000006
【図５】
0003163890.tif 000007
【図６】
0003163890.tif 000008